(57)【要約】【課題】単位時間当たりにアルカリイオン整水器本体に流れる水量が変化した場合においても積算吐水量に対する流量検知手段からの出力信号数が一定となるようなアルカリイオン整水器を提供することを目的とする。【解決手段】本発明は、供給された原水を電気分解してアルカリイオン水及び酸性イオン水を生成する電解槽７と、電解槽７への通電を制御するコントローラー１５を備え、流量検知手段５が水量を検知し、コントローラー１５が流量検知手段５からの出力信号数により積算吐水量を計量するアルカリイオン整水器であって、コントローラー１５には、単位時間当たりの水量に応じて流量検知手段からの出力信号数を補正する信号補正手段１７が設けられた構成を有する。【選択図】図１
2005152794.tif 000002
【特許請求の範囲】
【請求項１】
供給された原水を電気分解してアルカリイオン水及び酸性イオン水を生成する電解槽と、前記電解槽への通電を制御する制御部と、通水量に対応した数の出力信号を発生して前記制御部に出力する流量検知手段を備え、前記制御部が前記流量検知手段からの出力信号数に基づいて前記電解槽から吐出される水の積算吐水量を計量するアルカリイオン整水器であって、前記制御部には、単位時間当たりの水量の大きさに応じて前記流量検知手段からの出力信号数を補正する信号補正手段が設けられたことを特徴とするアルカリイオン整水器。
【請求項２】
前記単位時間当たりの水量がその大きさで少なくとも２区分以上の領域に分けられ、前記信号補正手段が各領域単位で出力信号数を補正することを特徴とする請求項１記載のアルカリイオン整水器。
【請求項３】
前記流量検知手段ごとに前記単位時間当たりの水量に対する前記出力信号数の近似値が関数化され、前記信号補正手段が近似値の関数によって計算された補正値に従って補正することを特徴とする請求項１記載のアルカリイオン整水器。
【発明の詳細な説明】
【技術分野】
【０００１】
本発明は、水道水等の原水を電気分解して、飲用、医療用として利用するアルカリイオン水、及び化粧水、殺菌洗浄水等として利用する酸性イオン水を製造するためのアルカリイオン整水器に関するものである。
【背景技術】
【０００２】
近年、連続電解方式のイオン生成器としてアルカリイオン整水器が普及している。このアルカリイオン整水器は電解槽内で水道水等を電気分解して、陽極側に酸性イオン水を生成し、陰極側にアルカリイオン水を生成するものである（例えば特許文献１参照）。
【０００３】
以下、従来の連続電解方式のアルカリイオン整水器について説明する。図５は従来のアルカリイオン整水器の概略構造図である。図５において、１は水道水等の原水管、２は水栓、３は水栓２を介して原水管１と接続されたアルカリイオン整水器本体、４は内部に原水中の残留塩素、トリハロメタン、カビ臭等を吸着する活性炭及び一般細菌や不純物を精度よく取り除く中空糸膜等を備えた浄水部、５は通水量に対応したパルス数(出力信号数)の信号を発生してコントローラに制御指示するカルマン渦式や軸流式の流量センサ等の流量検知手段、６はグリセロリン酸カルシウムや乳酸カルシウム等のカルシウムイオンを原水中に付与し原水導伝率を高めるカルシウム供給部、７は流量検知手段５を経由してきた水を電気分解してアルカリイオン水、酸性イオン水を生成する電解槽、８は電解槽７を２分し、電極室を形成する隔膜、９，１０は隔膜８で２分されて形成された各電極室に配置された電極板、１１は電極板１０側の水（電極板１０が陽極の場合は酸性イオン水）を排出する排水管、１２は電極板９側の水（電極板９が陰極の場合はアルカリイオン水）を吐出する吐水管、１３は電源投入用プラグ、１４は電源投入用プラグ１３からの交流電源を直流電源に変換する電源部、１５はアルカリイオン整水器の動作を制御するコントローラ、１６は利用者がイオン水の水質やｐＨ強度、各種機能の選択設定を行う操作表示部でありコントローラ１５に接続されている。
【０００４】
次ぎに、以上のように構成された従来のアルカリイオン整水器について、以下そのアルカリイオン水を生成する際の動作を説明する。利用者はアルカリイオン水生成モード、酸性イオン水生成モードまたは浄水モード等所望の水質モード及びｐＨ強度を操作表示部１６の所定のボタンを押下することにより選択し、水栓２を開いて通水を行う。水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。
【０００５】
一方、電源投入用プラグ１３からはＡＣ１００Ｖが供給され、電源部１４内のトランス及び制御用直流電源で電気分解に必要な直流電圧電流を発生させ、コントローラ１５を介して電解槽７の電極板９と電極板１０に電気分解に必要な電力が給電される。このとき相対的にプラス電圧を印加する電極板を陽極、マイナス電圧を印加する電極板を陰極とすると、電解槽７内に隔膜８で仕切られた陽極室と陰極室とが形成される。尚、アルカリイオン水生成モード時においては電極板１０が陽極となり、電極板９が陰極となる。また、酸性イオン水生成モード時においては電極板９が陽極となり、電極板１０が陰極となる。
【０００６】
さて、通水後コントローラ１５は流量検知手段５からの出力信号を読み取り、単位時間当たりにアルカリイオン整水器本体に流れる流量レベルが一定量を越えると、この状態を通水中と判断する。このとき、既に選択されている水質モード及びｐＨ強度に応じた電気
分解条件のもとコントローラ１５は電解槽７に対して所定の電力を供給する。これにより、アルカリイオン水生成モード時においては電極板９が陰極かつ電極板１０が陽極となり、吐水管１２よりアルカリイオン水が吐出されるとともに排水管１１より排水を排出する。酸性イオン水生成モード時においては電極板９が陽極かつ電極板１０が陰極となり吐水管１２より酸性イオン水が吐出されると共に排水管１１より排水を排出する。また、浄水モード時においては電極板９と電極板１０には電力が供給されず、吐水管１２より浄水が吐出されるとともに排水管１１より排水を排出する。その後、単位時間当たりにアルカリイオン整水器本体に流れる流量レベルが一定量を下回るとこの状態を止水と判断し、電解槽７への電力の供給を終了する。
【０００７】
また、利用者が吐水菅１２から吐出されるアルカリイオン水、酸性イオン水、浄水の積算吐水量を計量したい場合においては操作表示部１６の所定のボタンを押下することにより、通水開始からの積算吐水量の計量や通水中における所定の時間間隔における積算吐水量の計量を行わせ、操作表示部１６で確認することができる。
【特許文献１】特開平７−２２２９８１号公報
【発明の開示】
【発明が解決しようとする課題】
【０００８】
従来のアルカリイオン整水器においては、流量検知手段５からの出力信号数をアルカリイオン整水器本体に流れる吐水量に正確に変換し、積算吐水計量精度を確保することが要求されている。しかしながら、この流量検知手段５の特性として、単位時間当たりにアルカリイオン整水器本体に流れる水量の大小により、アルカリイオン整水器本体に流れた積算の吐水量と流量検知手段５からの出力信号数に差が生じるため、積算吐水計量精度が悪くなるという問題を有していた。図６は従来のアルカリイオン整水器の積算吐水量に対する流量検知手段からの出力信号数のグラフである。図６によれば、アルカリイオン整水器本体３に流れる単位時間当たりの水量が低い領域と高い領域で、他の領域に比べて積算吐水量に対しても流量検知手段５からの出力信号数が少なくなっていることがわかる。
【０００９】
そこで本発明は、単位時間当たりにアルカリイオン整水器本体に流れる水量の大小により、アルカリイオン整水器本体に流れた積算の吐水量と流量検知手段からの出力信号数の差を補正することができるアルカリイオン整水器を提供することを目的とする。
【課題を解決するための手段】
【００１０】
この課題を解決するために本発明のアルカリイオン整水器は、制御部には、単位時間当たりの水量に応じて流量検知手段からの出力信号数を補正する信号補正手段が設けられたことを主要な特徴とする。
【００１１】
これにより、単位時間当たりにアルカリイオン整水器本体に流れる水量が変動した場合においても流量検知手段からの出力信号数を補正でき、積算吐水計量機能に優れたアルカリイオン整水器が得られる。
【発明の効果】
【００１２】
本発明は、単位時間当たりにアルカリイオン整水器本体に流れる水量に応じて流量検知手段からの出力信号数を補正する手段により、アルカリイオン整水器本体を流れる単位時間当たりの水量が変動した場合においても積算吐水計量機能に優れたアルカリイオン整水器が得られる。
【発明を実施するための最良の形態】
【００１３】
上記課題を解決するためになされた第１の発明は、供給された原水を電気分解してアルカリイオン水及び酸性イオン水を生成する電解槽と、電解槽への通電を制御する制御部と
、通水量に対応した数の出力信号を発生して制御部に出力する流量検知手段を備え、制御部が流量検知手段からの出力信号数に基づいて電解槽から吐出される水の積算吐水量を計量するアルカリイオン整水器であって、制御部には、単位時間当たりの水量の大きさに応じて流量検知手段からの出力信号数を補正する信号補正手段が設けられたアルカリイオン整水器であり、アルカリイオン整水器本体を流れる単位時間当たりの水量が変動した場合においても積算吐水計量機能の精度を高めることができ、積算吐水計量機能に優れたアルカリイオン整水器が得られる。
【００１４】
本発明の第２の発明は、第１の発明において、単位時間当たりの水量がその大きさで少なくとも２区分以上の領域に分けられ、信号補正手段が各領域単位で出力信号数を補正するアルカリイオン整水器であり、各区分内でそれぞれの定数で同一の補正を行うため、信号補正手段の計算が容易になり、簡便な制御で積算吐水計量機能の精度を高めることができる。
【００１５】
本発明の第３の発明は、第１の発明において、流量検知手段ごとに単位時間当たりの水量に対する出力信号数の近似値が関数化され、信号補正手段が近似値の関数によって計算された補正値に従って補正するアルカリイオン整水器であり、関数で補正値を求めるため信号補正手段の計算が容易になり、簡便な制御で積算吐水計量機能の精度を高めることができる。
【００１６】
（実施例１）
以下、本発明の実施例１について図１を用いて説明する。図１は本発明の実施例１におけるアルカリイオン整水器の概略構造図、図２は本発明の実施例１におけるアルカリイオン整水器の積算吐水量に対する流量検知手段からの出力信号数のグラフである。図１において、従来のアルカリイオン整水器の説明で用いた符号と同一符号のものは、実施例１のアルカリイオン整水器においても基本的に同一であるため、詳細な説明は従来のアルカリイオン整水器の説明に譲って省略する。
【００１７】
図１に示すように、１は水道水等の原水管、２は水栓、３はアルカリイオン整水器本体、４は浄水部、５は流量検知手段、６はカルシウム供給部、７は電解槽、８は隔膜、９及び１０は電極板、１１は排水管、１２は吐水菅、１３は電源投入用プラグ、１４は電源部、１５はコントローラ（本発明の制御部）、１６は操作表示部、１７はコントローラ１５の機能手段の１つであり、流量検知手段５からの出力信号数を基にアルカリイオン整水器本体に流れる単位時間当たりの水量の大小を判断し、積算吐水計量値に対する流量検知手段５からの出力信号数の補正値を決定する信号補正手段である。なお、コントローラ１５はＣＰＵにプログラムを読み込んで機能する機能手段として構成される。
【００１８】
次ぎに、以上のように構成された本発明のアルカリイオン整水器３について、以下そのアルカリイオン水を生成する際の動作を説明する。利用者は、操作表示部１６の所定のボタンを押下することにより、アルカリイオン水生成モード、酸性イオン水生成モードまたは浄水モード等所望の水質モードのいずれか、さらにｐＨ強度を選択し、水栓２を開いて通水を開始する。
【００１９】
水栓２から導入された原水は、浄水部４で原水中の残留塩素やトリハロメタン、カビ臭、一般細菌等の不純物が取り除かれ、流量検知手段５を経てカルシウム供給部６にてグリセロリン酸カルシウムや乳酸カルシウム等が溶解されて電気分解容易な水に処理された後、電解槽７に導入される。一方、電源投入用プラグ１３からはＡＣ１００Ｖが供給され、電源部１４内のトランス及び制御用直流電源で電気分解に必要な直流電圧電流を発生させ、コントローラ１５を介して電解槽７の電極板９及び１０に電気分解に必要な電力が給電される。このとき相対的にプラス電圧を印加する電極板を陽極、マイナス電圧を印加する
電極板を陰極とすると、電解槽７内に隔膜８で仕切られた陽極室と陰極室とが形成される。なお、アルカリイオン水生成モード時においては電極板１０が陽極となり、電極板９が陰極となる。また酸性イオン水生成モード時においては電極板９が陽極となり、電極板１０が陰極となる。
【００２０】
さて、通水後コントローラ１５は流量検知手段５からの出力信号を読み取り、アルカリイオン整水器本体３を流れる単位時間当たりの流量レベルが一定量を越えるとこの状態を通水中と判断する。このとき、既に選択されている水質モード及びｐＨ強度に応じた電気分解条件の基に、コントローラ１５は電解槽７に対して所定の電力を供給する。これにより、アルカリイオン水生成モード時においては電極板９が陰極、電極板１０が陽極となり、吐水管１２よりアルカリイオ水ンが吐出されるととともに排水管１１より排水を排出する。酸性イオン水生成モード時においては電極板９が陽極、電極板１０が陰極となり、吐水管１２より酸性イオン水が吐出されるとともに排水管１１より排水を排出する。また、浄水モード時においては電極板９及び１０には電力が供給されず、吐水管１２より浄水が吐出されるとともに排水管１１より排水を排出する。
【００２１】
このとき、利用者が吐水菅１２から吐出されるアルカリイオン、酸性イオン水、浄水の積算吐水量を計量したいとき、操作表示部１６の所定のボタンを押下することにより、通水開始からの積算吐水量の計量や通水中の所定の時間間隔の積算吐水量の計量を行う場合、信号補正手段１７が流量検知手段５からの出力信号数を基に積算吐水量を操作表示部１６に表示するが、流量検知手段５の図６に示すような特性がアルカリイオン整水器本体３を流れる単位時間当たりの水量の大小に影響し、積算吐水量の計量精度が大きく変動する。しかしながら、実施例１の構成を備えていれば、単位時間当たりの水量の大小に関係なく積算吐水量の計量精度を高くすることができる。
【００２２】
既に説明したように従来のアルカリイオン整水器においては、流量検知手段５からの出力信号数は単位時間当たりの水量が低い領域と高い領域において少ない。これに対し、実施例１のアルカリイオン整水器においては、図２に示すようにアルカリイオン整水器本体３を流れる単位時間当たりの水量の大小にかかわらず、積算吐水量に対する流量検知手段５からの出力信号数に変動がないことがわかる。
【００２３】
このように実施例１のアルカリイオン整水器によれば、単位時間当の水量の変化に応じた補正値を流量検知手段５からの出力信号数に加減して制御するため、積算吐水量に対する流量検知手段５からの出力信号数のばらつきを低減することができる。なお、ここで加減する補正値は実験的に算出した値でも良いが、流量検知手段５の製品仕様書から算出した値でも良い。
【００２４】
（実施例２）
本発明の実施例２について図３を用いて説明する。図３は本発明の実施例２におけるアルカリイオン整水器の積算吐水量に対する流量検知手段からの出力信号数のグラフである。実施例２のアルカリイオン整水器は、単位時間当たりに流量検知手段５から出力される信号数を使って、アルカリイオン整水器本体３を流れる単位時間当たりの水量を計量し、その水量をＮ区分の領域に分け、それぞれの区分の領域内で同一の補正値（定数）を適用して流量検知手段５からの出力信号数に加減する。実施例２においては、Ｎ＝４として４区分に分割してそれぞれ補正値を加算している。
【００２５】
このように実施例２のアルカリイオン整水器によれば、積算吐水量に対する流量検知手段５からの出力信号数のばらつきを簡単に補正することができる。なお、実施例２では単位時間当たりの水量を４区分の領域で計量しているが、この区分は２区分でも３区分でもよく、５区分以上でも良い。
【００２６】
（実施例３）
本発明の実施例３について図４を用いて説明する。図４は本発明の実施例３におけるアルカリイオン整水器の積算吐水量に対する流量検知手段からの出力信号数のグラフである。実施例３のアルカリイオン整水器は、アルカリイオン整水器本体３を流れる単位時間当たりの水量ｘが変化したときの積算吐水量に対する流量検知手段５からの出力信号数ＹをＹ＝ｆ（ｘ）といった関数で近似し、所定の出力信号数Ｙ0、例えば平坦となる領域のＹの値Ｙ0に対する単位時間当たりの水量ｘの補正値（Ｙ0−ｆ（ｘ））を算出し、流量検知手段５からの実際の出力信号数Ｙに加減する。
【００２７】
このように実施例３のアルカリイオン整水器によれば、積算吐水量に対する流量検知手段５からの出力信号数のばらつきを補正することができる。なお、流量検知手段５からの出力信号数の関数ｆ（ｘ）は２次式で近似しても良いが、更に高次の関数や１次式、場合によっては定数でも良い。定数の場合が実施例２の場合となる。
【産業上の利用可能性】
【００２８】
本発明にかかるアルカリイオン整水器は、アルカリイオン整水器本体を流れる単位時間当たりの水量に応じて流量検知手段からの出力信号数を補正するため、単位時間当たりの水量が変動した場合においても優れた積算吐水計量機能を有し、飲用、医療用として利用するアルカリイオン水及び化粧水、殺菌洗浄水等として利用する酸性イオン水を製造する高精度計量機能を有するアルカリイオン整水器等として有用である。
【図面の簡単な説明】
【００２９】
【図１】本発明の実施例１におけるアルカリイオン整水器の概略構造図
【図２】本発明の実施例１におけるアルカリイオン整水器の積算吐水量に対する流量検知手段からの出力信号数のグラフ
【図３】本発明の実施例２におけるアルカリイオン整水器の積算吐水量に対する流量検知手段からの出力信号数のグラフ
【図４】本発明の実施例３におけるアルカリイオン整水器の積算吐水量に対する流量検知手段からの出力信号数のグラフ
【図５】従来のアルカリイオン整水器の概略構造図
【図６】従来のアルカリイオン整水器の積算吐水量に対する流量検知手段からの出力信号数のグラフ
【符号の説明】
【００３０】
１    原水管
２    水栓
３    アルカリイオン整水器本体
４    浄水部
５    流量検知手段
６    カルシウム供給部
７    電解槽
８    隔膜
９、１０    電極板
１１    排水管
１２    吐水菅
１３    電源投入用プラグ
１４    電源部
１５    コントローラ
１６    操作表示部
１７    信号補正手段
【図１】
2005152794.tif 000003
【図２】
2005152794.tif 000004
【図３】
2005152794.tif 000005
【図４】
2005152794.tif 000006
【図５】
2005152794.tif 000007
【図６】
2005152794.tif 000008